(57)【要約】【課題】本発明の課題は、ユーザがディスクの紛失・盗難などの万が一の事態にあってもデータの保護を確実なものとし、データが悪意のある第三者に盗み見されるのを防ぐことができる光ディスク装置を提供することである。【解決手段】上記課題は、ディスクのデータ領域をブロック単位に分け、その分けられたブロックに対してアドレスが付与されたディスクへの書き込みを外部装置からの書き込み要求に基づいて行なう光ディスク装置において、自光ディスク装置固有の識別ＩＤを保持するメモリ手段と、前記外部装置からの書き込み要求があった際に、前記メモリ手段より前記識別ＩＤを取得し、該識別ＩＤに基づいてアクセスすべきディスクのブロックに対するアドレスをずらし、そのずらした位置からデータの書き込みを行なうデータ移動書込手段と、を備えることを特徴とする光ディスク装置にて解決される。【選択図】  図１
2004213748.tif 000002
【特許請求の範囲】
【請求項１】
ディスクのデータ領域をブロック単位に分け、その分けられたブロックに対してアドレスが付与されたディスクへの書き込みを外部装置からの書き込み要求に基づいて行なう光ディスク装置において、
自光ディスク装置固有の識別ＩＤを保持するメモリ手段と、
前記外部装置からの書き込み要求があった際に、前記メモリ手段より前記識別ＩＤを取得し、該識別ＩＤに基づいてアクセスすべきディスクのブロックに対するアドレスをずらし、そのずらした位置からデータの書き込みを行なうデータ移動書込手段と、を備えることを特徴とする光ディスク装置。
【請求項２】
請求項１記載の光ディスク装置において、
前記識別ＩＤはｎビットで表され、
前記データ移動書込手段は、データ領域における先頭のｎブロックを前記識別ＩＤのｎビットに見立て、該ｎビットの中でビット値がＨｉｇｈとなっている位置に相対するブロックを前記ｎブロック以降のブロックにずらしてデータの書き込みを行なうデータ書き込み手段と、
前記ずらされたブロックに対し予め定めたビット値を挿入するダミービット挿入手段と、を備えることを特徴とする光ディスク装置。
【請求項３】
ディスクのデータ領域をブロック単位に分け、その分けられたブロックに対してアドレスが付与されたディスクへの書き込みを外部装置からの書き込み要求に基づいて行なう光ディスク装置において、
自光ディスク装置固有の識別ＩＤを保持するメモリ手段と、
前記外部装置からの書き込み要求があった際に、前記メモリ手段より前記識別ＩＤを取得し、該識別ＩＤに基づいて該当するブロック他のエリアの該当位置にスワップさせてデータを書き込むスワップ書込手段と、を備えることを特徴とする光ディスク装置。
【請求項４】
請求項３記載の光ディスク装置において、
前記識別ＩＤはｎビットで表され、
前記スワップ書込手段は、前記識別ＩＤのｎビットの中でビット値がＨｉｇｈとなっている位置に相対するブロックを次のエリアの該当位置にスワップさせてデータを書き込む次エリアスワップ書込手段を備えることを特徴とする光ディスク装置。
【請求項５】
請求項１乃至４いずれか記載の光ディスク装置において、
前記識別ＩＤは、自光ディスク装置に与えられる一意の番号又は予め指定される任意の番号となることを特徴とする光ディスク装置。
【請求項６】
請求項５記載の光ディスク装置において、
前記識別ＩＤは、前記外部装置となるホストコンピュータから転送されてくることを特徴とする光ディスク装置。
【発明の詳細な説明】
【０００１】
【発明の属する技術分野】
本発明は、光ディスク装置に係り、詳しくは、ディスク内のデータを保護し、悪意のある第三者によるデータの読み込みを防ぐことのできる光ディスク装置に関する。
【０００２】
【従来の技術】
近年、ＣＤ−ＲＯＭ（Ｃｏｍｐａｃｔ  Ｄｉｓｃ−Ｒｅａｄ  Ｏｎｌｙ  Ｍｅｍｏｒｙ）、ＣＤ−Ｒ（Ｒｅｃｏｒｄａｂｌｅ）、ＣＤ−ＲＷ（ＲｅＷｒｉｔａｂｌｅ）などのＣＤ方式の光ディスクが普及しており、またさらにＤＶＤ（Ｄｉｇｉｔａｌ  Ｖｅｒｓａｔａｉｌｅ  Ｄｉｓｃ又はＤｉｇｉｔａｌ  Ｖｉｄｅｏ  Ｄｉｓｃ）方式のディスクとして、ＤＶＤ−ＲＯＭ、ＤＶＤ＋ＲＷ、ＤＶＤ−Ｒ、ＤＶＤ−ＲＡＭなどのディスクメディアも開発されている。
【０００３】
このように種々のディスクが存在しているが、ＣＤの中の情報は、大別して音楽とデータとに分けられる。例えば、音楽用のＣＤの記録フォーマットは、Ｒｅｄ  Ｂｏｏｋという規格書で定められており、音楽ＣＤの物理ブロックは１ブロックが  ２５３２バイトで構成され、再生される場合には  １秒間に７５ブロックが読まれる（１フレーム＝２３５２バイト＝１／７５秒）、と定義されている（図７（ａ）参照）。一方、データやコンピュータプログラムでは、音楽ＣＤと違って誤りは許されないため、Ｙｅｌｌｏｗ  Ｂｏｏｋでは、１ブロックが２３５２バイトというのはそのままで、同期データ（Ａ）、ヘッダ（Ｂ）、サブヘッダ（Ｃ）エラー検出コード（ＥＤＣ：Ｅｒｒｏｒ  Ｄｅｔｅｃｔｉｏｎ  Ｃｏｄｅ）、ＥＣＣ（Ｅｒｒｏｒ  Ｃｏｒｒｅｃｔｉｏｎ  Ｃｏｄｅ）の冗長部分を確保してデータ部分を２０４８バイトとして規定している（図７（ｂ）参照）。
【０００４】
このようにＣＤの物理フォーマットでは、音楽用とデータ用でフォーマットが異なる。また、ＣＤの論理フォーマット（＝ＩＳＯ９６６０のファイル構造）は、「ルートディレクトリ→ディレクトリ→ファイル」というようなファイル構造となっており、「ボリューム記述子」（ＶＤ＝Ｖｏｌｕｍｅ  Ｄｅｓｃｒｉｐｔｏｒ）と呼ばれる「ファイルシステムに関する記述的情報を含む構造」で管理されている。このＶＤには、ＰＶＤ（Ｐｒｉｍａｒｙ  Ｖｏｌｕｍｅ  Ｄｅｓｃｒｉｐｔｏｒ＝主ボリューム記述子）、ＳＶＤ（Ｓｕｐｐｌｅｍｅｎｔａｒｙ  Ｖｏｌｕｍｅ  Ｄｅｓｃｒｉｐｔｏｒ＝副ボリューム記述子）、ＶＰＤ（Ｖｏｌｕｍｅ  Ｐａｒｔｉｔｉｏｎ  Ｄｅｓｃｒｉｐｔｏｒ＝ボリューム区画記述子）などがあり、それぞれに位置（論理セクタ番号）が決まっている。このうち、ＰＶＤには、ボリュームの属性やルートディレクトリの位置、パステーブルの位置などが記述されており、また、ディスク上の位置は、第一トラックの第１７フレーム目（論理セクタ番号１６）になければならないと定められている。
【０００５】
図８は、ＩＳＯ９６６０に基づき光ディスクのセクタと論理ブロック長の関係及びパステーブルの説明図である。同図に示すように、論理セクタ０〜１５がシステムエリアとして使用され、パステーブルが、光ディスクの論理セクタ１６以降に記録される。このパステーブルには、光ディスクに記録されるファイルの記録位置、ファイルの大きさ、論理ブロック長等が記録される。論理セクタｋ以降は、１論理ブロック２０４８バイト（１セクタともいう）のデータがセクタｍ、セクタｍ＋１、…と続いている。通常の光ディスクドライブでは、上記パステーブルを自身の半導体メモリ内に読み込むことで、目的の位置に一回のアクセス動作で到達できるようになっている。つまり、上記パステーブルはディスクのファイルを高速に読み出すために必要不可欠なものとなっている。
【０００６】
【発明が解決しようとする課題】
さて、最近では、上述したＣＤなどの光ディスクを用いたディスクドライブ装置を標準搭載するパソコンも増えてきており、技術進歩により初心者にも簡単に扱えるようになったこと、記録媒体が安くなったこと、などにより、一般ユーザがＣＤやＤＶＤなどのメディアを扱う機会が増えてきている。その一方で、光ディスクの紛失・盗難などの万が一の事態から、大切な情報を漏洩させないようにするためのデータの保護に対する需要が劇的に高まっている。
【０００７】
一般に、ＣＤに書き込まれたデータの読み込みを悪意のある第三者から守るには、アプリケーション又はＯＳ側でデータにプロテクションをかける（例：表計算用のアプリケーションにおけるパスワード設定など）といった方法がとられるが、このようなプロテクション方法では、単純なテキストファイルやＨＴＭＬファイルなどに対してはプロテクションすることができない。このため、もし、悪意のある第三者がディスクを拾得した場合には、容易にデータの読みこみが可能となってしまい、ディスクに記録されたデータが保護されないといった安全性上の問題があった。
【０００８】
本発明は、上記のような問題点に鑑みてなされたもので、その課題とするところは、ユーザがディスクの紛失・盗難などの万が一の事態にあってもデータの保護を確実なものとし、データが悪意のある第三者に盗み見されるのを防ぐことができる光ディスク装置を提供することである。
【０００９】
【課題を解決するための手段】
上記課題を解決するため、本発明は、請求項１に記載されるように、ディスクのデータ領域をブロック単位に分け、その分けられたブロックに対してアドレスが付与されたディスクへの書き込みを外部装置からの書き込み要求に基づいて行なう光ディスク装置において、自光ディスク装置固有の識別ＩＤを保持するメモリ手段と、前記外部装置からの書き込み要求があった際に、前記メモリ手段より前記識別ＩＤを取得し、該識別ＩＤに基づいてアクセスすべきディスクのブロックに対するアドレスをずらし、そのずらした位置からデータの書き込みを行なうデータ移動書込手段と、を備えることを特徴としている。
【００１０】
また、本発明の請求項２は、前記光ディスク装置において、前記識別ＩＤはｎビットで表され、前記データ移動書込手段は、データ領域における先頭のｎブロックを前記識別ＩＤのｎビットに見立て、該ｎビットの中でビット値がＨｉｇｈとなっている位置に相対するブロックを前記ｎブロック以降のブロックにずらしてデータの書き込みを行なうデータ書き込み手段と、前記ずらされたブロックに対し予め定めたビット値を挿入するダミービット挿入手段と、を備えることを特徴としている。
【００１１】
また、本発明の請求項３は、ディスクのデータ領域をブロック単位に分け、その分けられたブロックに対してアドレスが付与されたディスクへの書き込みを外部装置からの書き込み要求に基づいて行なう光ディスク装置において、自光ディスク装置固有の識別ＩＤを保持するメモリ手段と、前記外部装置からの書き込み要求があった際に、前記メモリ手段より前記識別ＩＤを取得し、該識別ＩＤに基づいて該当するブロック他のエリアの該当位置にスワップさせてデータを書き込むスワップ書込手段と、を備えることを特徴ととしている。
【００１２】
また、本発明の請求項４は、前記光ディスク装置において、前記識別ＩＤはｎビットで表され、前記スワップ書込手段は、前記識別ＩＤのｎビットの中でビット値がＨｉｇｈとなっている位置に相対するブロックを次のエリアの該当位置にスワップさせてデータを書き込む次エリアスワップ書込手段を備えることを特徴としている。
【００１３】
また、本発明の請求項５は、前記光ディスク装置において、前記識別ＩＤは、自光ディスク装置に与えられる一意の番号又は予め指定される任意の番号となることを特徴としている。
【００１４】
また、本発明の請求項６は、前記光ディスク装置において、前記識別ＩＤは、前記外部装置となるホストコンピュータから転送されてくることを特徴としている。
【００１５】
上記本発明の構成によれば、ディスクにデータを書き込む際、光ディスク装置に与えられた一意の番号に基づいてデータ領域のアドレスをずらしてデータを書き込むようにしたため、ＯＳ上でファイルの認識ができなくなり、ディスクにプロテクトがかかる。ディスクのプロテクトを解除するためには、データを書き込んだドライブでしか解除できないため、悪意のある第三者が上記のようなプロテクトのかかったディスクを拾得してもデータの読み込みは不可能に近い。したがって、機密性の高いディスクをユーザに提供することができる。
【００１６】
【発明の実施の形態】
以下、本発明の実施の形態を図面に基づいて説明する。
【００１７】
図１は本発明の実施の一形態に係る光ディスク装置の構成図である。図１において、この光ディスク装置（以下、ドライブと略記）は、ＣＤ−Ｒ又はＣＤ−ＲＷ等の書き換え可能型の光ディスク装置で、光ディスク（以下、ディスクと略記）１、光ピックアップ２、スピンドルモータ３、スピンドルモータ（ＳＰＭ）ドライバ４、レーザドライバ５、エンコーダ６、バッファ７、インタフェース回路（Ｉ／Ｆ）８、ＡＰＣ（Ａｕｔｏ  Ｐｏｗｅｒ  Ｃｏｎｔｒｏｌ）９、サーボプロセッサ１０、システムコントローラ（＝ＣＰＵ）１１、メモリ１２から構成される。本発明に係るドライブのインタフェース回路８には外部の接続先としてホストコンピュータ２１が接続され、当該ドライブは、ホストコンピュータ２１からのコマンドにしたがって、情報の書き込みが可能なディスク１に対してデータの記録／再生を行なう。なお、図１では、本発明に係るドライブにおいて、データの書き込み処理に関係する部分についてのみ示している。
【００１８】
図１において、ディスク１は、ターンテーブルに積載され、記録／再生動作時においてスピンドルモータ３によって一定線速度（ＣＬＶ）もしくは一定角速度（ＣＡＶ）で回転駆動される。そして光ピックアップ２によってディスク１上のピットデータの読み出しが行なわれる。サーボプロセッサ１０は、ＲＦアンプ（図示省略）からのフォーカスエラー信号ＦＥ、トラッキングエラー信号ＴＥ等から、フォーカス、トラッキング、スレッド、スピンドルの各種サーボドライブ信号を生成しサーボ動作を実行させる。サーボプロセッサ１０はさらに、スピンドルモータドライバ４に対してスピンドルエラー信号に応じて生成されるスピンドルドライブ信号を供給する。スピンドルモータドライバ４はスピンドルドライブ信号に応じてスピンドルモータをＣＬＶ回転又はＣＡＶ回転を実行させる。ＡＰＣ９は、レーザの出力が温度などによらず一定になるように制御する回路部である。バッファ７は所定のデータ容量を持ち、ホストコンピュータ２１から供給されたデータを一時記憶する。バッファ７は、例えば、ＦＩＦＯ方式とする。この場合、データは、Ｉ／Ｆ８から供給されて記憶された順に、エンコーダ６により読み出される。エンコーダ６は、バッファ７から供給されたデータを、サブコード等と共に所定の規格に沿ってＥＦＭ変調し、ＥＦＭ信号をレーザドライバ５に供給する。ＣＰＵ１１はＩ／Ｆ８とデータバス及び制御線からなる信号線で接続され、バッファとデータバスで接続されている。Ｉ／Ｆ８には、例えば、ＳＣＳＩ仕様のものを用いる。ホストコンピュータ２１には、例えば、一般的なパーソナルコンピュータを用いることができる。
【００１９】
次に、上記のように構成されたドライブにおけるデータの書き込み動作について説明する。図２は、上記ドライブにおける書き込み動作を説明するための図である。この例では、ドライブのメモリ１２（ＲＯＭ、ＥＰＲＯＭ、フラッシュメモリなど）に自ドライブ固有の番号、例えば、製造番号の情報が識別ＩＤとして格納されているものとする。例えば、ドライブの製造番号を３２ｂｉｔ（約４２億通り）で定義したとすると、本実施形態では、ドライブがＣＤにデータを書き込む際、まず、データ領域の先頭の３２ブロックを製造番号の３２ｂｉｔに見立てる。例えば、製造番号が１０進数（デシマル）で「４」である場合、３２ｂｉｔで表される製造番号のバイナリ値は下三桁が“１００”となる。この例の場合、製造番号情報のうちｂｉｔの立っている位置が３０ｂｉｔ目の１つのみなので、製造番号情報の３０ビット目の位置と相対する３０番目のブロックを後方ブロックの先頭である３３ブロック目に移動し、
この移動先となる３３番目のブロックに３０番目のブロックの情報が書き込まれる。なお、移動した３０ブロックには、ダミービット、例えば、オール“１”か“０”が挿入される。
【００２０】
このように本実施形態では、製造番号のビットが立っている位置に該当するブロックが後方のブロックである３３ブロック目以降にずらされて書き込まれる。
このため、悪意のある第三者がこのようにして書き込まれたディスクを拾得してデータを読み込もうとしても、パステーブル上で指示されるディレクトリの場所には、あるべきデータが移動してしまっているためＯＳ上ではファイル認識ができず書き込まれたデータの読込は不可能に近い。また、本実施形態では、データの位置を移動させただけなので、ＣＤやＤＶＤの規格に違反せずに書き込んだデータを強力に保護することができる。
【００２１】
次に、上記ドライブにおける書き込み動作の詳細を図３のフローチャートを参照しながら説明する。なお、本フローチャートを説明するに当たり、図１のハードウェア構成を適宜参照する。
【００２２】
図３において、ドライブのＣＰＵ１１は、ホストコンピュータ２１からデータの書き込み指令を受けると、メモリ１２に格納されているドライブ固有の番号（本例では、製造番号の情報が３２ｂｉｔで管理されているものとする）を取得（Ｓ１）する。その後、ホストコンピュータ２１より送られてくるデータは、ブロック単位で一旦バッファ７に蓄積される。ＣＰＵ１１は、先に取得した製造番号情報から３２ｂｉｔで表現される製造番号の中でどの位置にビットが立っているかを把握し、バッファ７に蓄積されている先頭の３２ブロックのうち、上記ビットの立っている位置と相対するブロックの位置を後方の３３ブロック目以降に移動（Ｓ２）させる。このようにして移動させられたブロックの移動位置は、移動情報（新アドレス情報）としてメモリ１２に蓄積（Ｓ３）される。図４は、メモリ１２に格納される移動情報例を示した図で、この例では、製造番号のビットが１０、１５、１８、２２ブロックに立っていて、これらに相対するブロックが３３、３４、３５、３６ブロックという順に並び替えられる。
【００２３】
図３に戻り、上記のようにしてバッファ７内のブロックの移動が完了した後、バッファ７から出力されるデータはエンコーダ６で符号化処理が施された後、ディスクに書き込まれる（Ｓ４）ようになっている。
【００２４】
このようにしてプロテクトされたデータは、プロテクトを解除しなければ読み出すことはできない。図５は、そのプロテクトされたデータを読み込む際の処理手順を示すフローチャートである。
【００２５】
図５において、ドライブのＣＰＵ１１は、ホストコンピュータ２１からデータの読み込み指令を受ける（Ｓ１１）と、メモリ１２に格納されているブロックの移動情報を取得（Ｓ１２）する。ＣＰＵ１１は、このブロックの移動情報からどのブロックがどこに移動したかを把握し、データ読み込み時にバッファ７に蓄積されたブロックのうち、データ書き込み時に後方のブロックに移動させられたブロックを元にあった先方のブロックの位置に戻す処理を行なう（Ｓ１３）。そして、バッファ７内のブロックの位置を元の位置に並び替えた後、それらのデータがデコーダ（図示省略）にて読み込まれて復号される（Ｓ１４）。
【００２６】
上述したように、本実施形態によれば、ドライブにてデータを書き込む際に、ドライブに与えられる一意の番号と対応付けられるブロックの位置を後方に移動してデータを書き込むため、悪意のある第三者がこのようにして書き込まれたディスクを拾得してデータを読み込もうとしても、パステーブル上で指示されるディレクトリの場所には、あるべきデータが移動してしまっているためＯＳ上ではファイル認識ができずデータを読むことは困難となる。また、本実施形態では、データの位置を移動させただけなので、ＣＤやＤＶＤの標準規格に違反せずに書き込んだデータの保護が可能である。また、１つのドライブに１つのユニークな番号が与えられるため、同じ機種のドライブであっても正しくデータを読めることはない。なお、上記ユニークな番号はドライブの製造番号は勿論のこと、ユーザが別に定めた番号をホストコンピュータ２１から転送してメモリ１２に格納させてもよく、ユーザで管理可能な番号であれば特に限定されるものではない。さらに、本実施形態によれば、一般ユーザがドライブのファームウェアを変更、改造することは不可能に近く、また、ディスク自体にプロテクトがかけられるため、一般的に行なわれているアプリケーションでプロテクトをかける方法よりも機密性を高くすることが可能である。
【００２７】
これまで説明してきた上記実施形態は、データの位置をドライブ固有の番号に基づいて後方のブロックへと移動させるといった形態であったが、本発明はこのような方法に限定されるものではない。例えば、ドライブに一意な番号を管理可能なビット（ｂｉｔ）数で区切り、その番号のｂｉｔが立っている位置に相当するブロックを次のエリアのブロックと入れ替える、すなわちスワップ処理をしてもよい。図６はこのようなスワップ処理を説明するための図である。この例では、ドライブに一意な番号として３２ｂｉｔの製造番号を仮定している。したがって、データフィールドは３２ブロックごとに区切られ、製造番号の情報ビットが立っている先頭の３０ブロックが後方の６２ブロックとスワップされる。このように本実施形態では、６４ブロックのうちの先頭３２ブロックと後方３２ブロックとの間で製造番号のビットが立っている位置のブロックがスワップされ、データがスクランブルされる。このスクランブルされたデータを読み込む際は、バッファにオーディオデータを書き込む際又は書き込んだ後に、ドライブの一意の番号（本例では、製造番号）に沿って正常なアドレス、順序にブロックを並べ替えることにより、正常な音声を再生することができる。
【００２８】
このように本実施形態によれば、データ全域に渡ってスクランブルがかけられるため、ドライブの製造番号が分らない限り正常なデータとしては認識できない。このため、音楽用ＣＤのデータ保護をより強固にすることができ、２次配布（Ａ社の許可なくしてＡ社以外でデータやプログラムを配布する行為をいう）に対する防護及び悪意のある第三者の不正使用を防ぐことができる。
【００２９】
また、本実施形態で示したデータのスクランブル方法は、ブロック間のスワップ処理だけなので、ＣＤやＤＶＤの標準規格に違反せずにデータへのプロテクションをかけることが可能である。また、ブロックをスワップさせてデータをスクランブルさせるのでなく、データ自体を暗号化してもよい。
【００３０】
これまで説明してきた上記実施形態では、データのプロテクト解除に用いられるドライブ一意の番号情報がメモリ１２に格納され、プロテクション解除の処理時において該番号情報が参照されるというものであったが、必ずしもメモリ１２に上記番号情報を格納しなくてもよい。この場合、ホストコンピュータ２１から上記番号情報を入力し、ＯＳやアプリケーション、あるいはファームウェア、ドライバなどが該番号情報の解釈を行なうことで、ドライブの一意の番号を知っているユーザのみデータの読み込みを許可するようにすることが可能である。これにより、限られた条件の人に対してのみデータの読み込みを許可できるようになる。
【００３１】
上記例において、メモリ１２のメモリ機能がメモリ手段に、ＣＰＵ１１の書き込み制御機能がデータ移動書込手段、データ書き込み手段、ダミービット挿入手段、スワップ書込手段、次エリアスワップ書込手段に対応する。
【００３２】
【発明の効果】
以上、説明したように、本願発明によれば、ディスクにデータを書き込む際、光ディスク装置に与えられた一意の番号に基づいてデータ領域のアドレスをずらしてデータを書き込むようにしたため、ＯＳ上でファイルの認識ができなくなり、ディスクにプロテクトがかかる。ディスクのプロテクトを解除するためには、データを書き込んだドライブでしか解除できないため、悪意のある第三者が上記のようなプロテクトのかかったディスクを拾得してもデータの読み込みは不可能に近い。したがって、機密性の高いディスクをユーザに提供することができる。
【図面の簡単な説明】
【図１】本発明の実施の一形態に係る光ディスク装置の構成図である。
【図２】図１に示す光ディスク装置におけるデータの書き込み動作を説明するための図である。
【図３】光ディスク装置におけるデータの書き込み動作の処理手順を示すフローチャートである。
【図４】メモリに格納されるブロックの移動情報例を示す図である。
【図５】光ディスク装置におけるデータの読み込み動作の処理手順を示すフローチャートである。
【図６】本発明に係る光ディスク装置における第二のデータの書き込み動作を説明するための図である。
【図７】光ディスクの記録フォーマット例を示す図である。
【図８】光ディスクのセクタと論理ブロック長の関係及びパステーブルの説明図である。
【符号の説明】
１  光ディスク（ディスク）
２  光ピックアップ
３  スピンドルモータ
４  スピンドルモータドライバ（ＳＰＭドライバ）
５  レーザドライバ
６  エンコーダ
７  バッファ
８  インタフェース（Ｉ／Ｆ）回路
９  ＡＰＣ
１０  サーボプロセッサ
１１  システムコントローラ（ＣＰＵ）
１２  メモリ
２１  ホストコンピュータ
【図１】
2004213748.tif 000003
【図２】
2004213748.tif 000004
【図３】
2004213748.tif 000005
【図４】
2004213748.tif 000006
【図５】
2004213748.tif 000007
【図６】
2004213748.tif 000008
【図７】
2004213748.tif 000009
【図８】
2004213748.tif 000010